【事件の表示】
　平成　７年特許願第２１６９４４号「自動販売機」拒絶査定不服審判事件〔平成　９年　３月　７日出願公開、特開平　９−　６２９２２〕について、次のとおり審決する。
【結　論】
　本件審判の請求は、成り立たない。
【理　由】
１．手続の経緯・本願発明
　
　本願は、平成７年８月２５日の出願であって、その請求項１に係る発明は、平成１５年２月２４日付けの手続補正によって補正された特許請求の範囲の請求項１に記載されたとおりの次のものと認められる（以下、「本願発明」という。）。
　
　「【請求項１】コーヒー，お茶などの缶系商品をホット，ないしコールド商品として販売する自動販売機であり、キャビネットの庫内を複数の商品収納室に仕切って商品ラックを収設するとともに、各室ごとに収納商品を保温，ないし保冷し、販売指令に基づき商品ラックから搬出した商品を前面外扉の商品取出口へ送出するようにしたものにおいて、前記の各商品収納室のうち、ホット商品として販売する商品を販売適温よりも低い温度で貯蔵する特定の商品収納室に対して、該商品収納室から商品取出口へ通じる搬送手段に連係して外扉に開口する商品取出口の上方に誘導加熱式の商品加熱装置を設置し、商品ラックから搬出した商品を前記加熱装置に受け渡して販売温度に高温加熱した後に、商品取出口に送出するよう構成したことを特徴とする自動販売機。」
　
２．引用例
　
（１）原査定の拒絶の理由に引用した実願昭６３−３７５５１号（実開平１−１４２０８８号）のマイクロフィルム（以下、「引用例１」という。）には、図面とともに、次の記載がある。
　
・「この考案は高周波コイルを内蔵する加熱体を有する缶詰自動販売機の改良に関する。」（第２頁第６−７行）
　
・「図において、１０は横向き缶詰Ａを収容する枠体、１１は基板１２上に約４５°傾斜して配置され、高周波コイルを内蔵する中空筒形の高周波加熱体、１３は前記枠体１０から放出された缶詰を前記高周波加熱体１１の中空部１１ａに案内する案内部材である。」（第５頁第６−１１行）
　
・「１５は取出し缶詰め受け部、１６は缶詰取出口である。」（第６頁第１１−１２行）
　
・「上記の構成を具備することにより、例えば、硬貨投入信号によりストッパー１７（第２図）が作動して枠体１０から缶詰Ａを１個放出すると、その放出された缶詰Ａは案内部材１３Ａの傾斜板１３ｅ上を転動して垂直壁１３ｃ，１３ｄ間を落下して缶詰案内溝１３ａに受けられ、続いてこの缶詰案内溝１３ａに沿い案内棒１３ｈ，１３ｈ上をそれぞれ案内溝、案内棒に案内されて辷り下降する。前記信号を受けて、一方では、開閉装置１４のモータ１４ｂの作動により回動腕１４ｃが第３図の２点鎖線で示す直立位置から実線で示す水平位置に移動させられ、円板１４ｄが加熱体１１の中空部１１ａの缶詰通路を閉塞するように位置する。そこで辷ってきた缶詰は円板１４ｄに受けられ中空部１１ａ内に位置する。次に周知手段により加熱体の高周波コイルに通電され缶詰は所定温度に加温される。その後、通電は停止され、モータ１４ｂの作動により回動腕１４ｃが直立位置に復し、中空部１１ａ内にあった加温缶詰は案内棒１３ｈ，１３ｈ上を辷り下降して取出し缶詰め受け部１５に入る。」（第６頁第１７行−第７頁第１７行）
　
　また、第１図から明らかなように、「高周波加熱体」は、「缶詰収納室から缶詰取出口へ通じる搬送手段に連係して缶詰取出口の上方」に設置されている。
　
　したがって、引用例１には、次の発明が記載されているものと認められる（以下、「引用例１発明」という。）。
　
　「缶詰を販売する自動販売機であり、販売指令に基づき枠体から搬出した缶詰を缶詰取出口へ送出するようにしたものにおいて、缶詰収納室から缶詰取出口へ通じる搬送手段に連係して缶詰取出口の上方に高周波加熱体を設置し、枠体から搬出した缶詰を前記高周波加熱体に受け渡して販売温度に高温加熱した後に、缶詰取出口に送出するよう構成した自動販売機。」
　
（２）同じく、原査定の拒絶の理由に引用した特開平５−２９０２６４号公報（以下、「引用例２」という。）には、図面とともに、次の記載がある。
　
・「【０００１】【産業上の利用分野】本発明は、コーヒーなどの缶入り商品をホット商品として販売する商品加熱付き自動販売機、およびその商品加熱装置に関する。」
　
・「【００１４】【作用】前記の自動販売機において、ホット商品として販売するコーヒーなどの商品は、販売待機中にヒータを装備した庫内のホット室に収納して３０〜３５℃程度に保温されいる。すなわち、コーヒーなどの中身飲料は、高温状態のまま長時間保存すると風味が落ちるなどして品質が劣化するおそれがあるが、品温３０〜３５℃程度に保温しておく限りは長時間庫内に保存しても品質劣化を来すことがなく、かつ庫内を常時販売温度（５５〜６０℃）に保つ場合に比べて消費電力も少なくて済む。一方、商品をコールド商品として販売する商品は、ホット商品とは別に冷却器を装備したコールド室に収納して所定の販売温度に保冷されている。」
　
・「【００１５】（中略）ここで、ホット商品を選択した場合には、商品を加熱装置の加熱カバー内に受け止めて受容保持し、この状態で誘導加熱コイルに通電して５５〜６０℃の販売温度まで急速加熱した後、加熱カバーの出口側に設けたシャッタを開いて商品を中段に位置する商品取出口に送り出す。」
　
・「【００１６】（中略）なお、コールド商品を選択した場合には商品リフタの搬送動作と同時に商品加熱装置の出口側シャッタを開放しておく。これにより、商品リフタの終端から放出された商品は加熱装置の加熱カバーの中を通過してコールド商品のまま商品取出口に取り出される。」
　
３．対比
　
　本願発明と引用例１発明とを対比する。
　
　引用例１発明の「缶詰」は本願発明の「缶系商品」に相当し、以下同様に、「枠体」は「商品ラック」に、「缶詰収納室」は「商品収納室」に、また、「缶詰取出口」は「商品取出口」にそれぞれ相当するから、
　
両者は、
　
　「缶系商品を販売する自動販売機であり、販売指令に基づき商品ラックから搬出した商品を商品取出口へ送出するようにしたものにおいて、商品収納室から商品取出口へ通じる搬送手段に連係して商品取出口の上方に商品加熱装置を設置し、商品ラックから搬出した商品を前記加熱装置に受け渡して販売温度に高温加熱した後に、商品取出口に送出するよう構成した自動販売機。」
　
の点で一致し、次の点で相違する。
　
　［相違点１］
　本願発明では、「コーヒー，お茶などの缶系商品をホット，ないしコールド商品として販売する自動販売機であり、キャビネットの庫内を複数の商品収納室に仕切って商品ラックを収設するとともに、各室ごとに収納商品を保温，ないし保冷し、販売指令に基づき商品ラックから搬出した商品を前面外扉の商品取出口へ送出するようにしたもの」であって、商品取出口が「外扉に開口する商品取出口」であるのに対して、引用例１発明では、そのような限定がない点。
　
　［相違点２］
　本願発明では、「各商品収納室のうち、ホット商品として販売する商品を販売適温よりも低い温度で貯蔵する特定の商品収納室に対して」、商品加熱装置を設置するのに対して、引用例１発明では、そのような限定がない点。
　
　［相違点３］
　本願発明では、商品加熱装置が「誘導加熱式の商品加熱装置」であるのに対して、引用例１発明では、「高周波加熱体」である点。
　
４．判断
　
　上記相違点について検討する。
　
　相違点１について、
　
　引用例２に記載されるように、「コーヒー，お茶などの缶系商品をホット，ないしコールド商品として販売する自動販売機であり、キャビネットの庫内を複数の商品収納室に仕切って商品ラックを収設するとともに、各室ごとに収納商品を保温，ないし保冷し、販売指令に基づき商品ラックから搬出した商品を前面外扉の商品取出口へ送出するようにしたもの」であって、商品取出口が「外扉に開口する商品取出口」であるものは、従来周知である。
　
　したがって、引用例１発明において、上記相違点１に係る本願発明の構成を採用することは、当業者が容易に想到し得たものである。
　
　相違点２について、
　
　引用例２には、「コーヒーなどの中身飲料は、高温状態のまま長時間保存すると風味が落ちるなどして品質が劣化するおそれがある」ため、比較的低温状態で貯蔵し、販売時に急速加熱する点が記載されている。
　
　この記載からすると、高温状態のまま長時間保存しても品質が劣化するおそれがないものについては、比較的低温状態で貯蔵し、販売時に急速加熱するまでもなく、高温状態で貯蔵しそのまま販売すればよいことは、当業者にとって明らかである。
　
　したがつて、引用例１発明において、上記相違点１に係る本願発明の構成を採用するに際して、「各商品収納室のうち、ホット商品として販売する商品を販売適温よりも低い温度で貯蔵する特定の商品収納室に対して」、商品加熱装置を設置することは、消費電力や商品加熱装置の設置費用等を勘案して当業者が適宜なし得る設計事項である。
　
　相違点３について、
　
　引用例１発明において、「高周波加熱体」として、「誘導加熱式の商品加熱装置」を用いることは、単なる設計事項である。
　
　そして、本願発明の作用効果も、引用例１、引用例２の記載及び周知技術から当業者が予測できた範囲内のものである。
　
５．むすび
　
　本願発明は、引用例１に記載された発明、引用例２に記載された発明、及び、周知技術に基づいて、当業者が容易に発明をすることができたものであるから、特許法第２９条第２項の規定により特許を受けることができない。
　
　よって、結論のとおり審決する。